(57)【特許請求の範囲】
【請求項１】
第１ロール状印刷媒体の動作を幅方向で規制する第１側面及び第２側面を有し、前記第１ロール状印刷媒体を繰り出し方向に回転可能に収納して保持する収納部と、
前記収納部内に設置され、前記第１ロール状印刷媒体の幅より狭い幅を有する第２ロール状印刷媒体を前記収納部内で規制する仕切り部材と、を備え、
前記仕切り部材は、
前記収納部に固定する固定部と、
前記第２ロール状印刷媒体の幅方向を前記第１側面または前記第２側面と協働して規制する第３側面と、
前記収納部から繰り出し方向に延びて形成される延出部と、を有して構成され、
前記延出部は、前記第２ロール状印刷媒体の印刷媒体を挿入する挿入口を含む、前記収納部から前記挿入口に至る前記繰り出し方向に構成される構成部に対し、前記印刷媒体の幅に対応する領域以外の領域を覆うことを特徴とするロール状印刷媒体保持構造。
【請求項２】
請求項１に記載のロール状印刷媒体保持構造であって、
前記仕切り部材は、前記第２ロール状印刷媒体の幅方向を規制しない前記第１側面または前記第２側面に当接する当接部を備えていることを特徴とするロール状印刷媒体保持構造。
【請求項３】
請求項１または請求項２に記載のロール状印刷媒体保持構造であって、
前記仕切り部材は、前記第２ロール状印刷媒体の幅方向を規制しない前記第１側面または前記第２側面の側面高さより低く形成され、前記第２ロール状印刷媒体の挿入または取り外しを補助する挿脱補助部を備えていることを特徴とするロール状印刷媒体保持構造。
【請求項４】
請求項１〜請求項３のいずれか一項に記載のロール状印刷媒体保持構造であって、
前記仕切り部材は、前記第２ロール状印刷媒体の回転を受ける回転受部を備えていることを特徴とするロール状印刷媒体保持構造。
【請求項５】
請求項１〜請求項４のいずれか一項に記載のロール状印刷媒体保持構造と、
前記第２ロール状印刷媒体の前記印刷媒体に印刷を行う印刷部と、を備えていることを特徴とするプリンター。
【発明の詳細な説明】
【技術分野】
【０００１】
本発明は、ロール状印刷媒体保持構造、及びこのロール状印刷媒体保持構造を備えたプリンターに関する。
【背景技術】
【０００２】
従来、ロール状印刷媒体（ロール状に巻回された印刷媒体）を収納し、印刷媒体としての記録紙等に、例えば、ドットインパクト方式、インクジェット方式、熱転写方式等を用いて印刷を行うプリンターが知られている。この種のプリンターは、ロール状印刷媒体を収納する略箱状に形成される収納部を含むロール状印刷媒体保持構造を備え、また、紙送り機構部を備え、所定の紙送り経路に沿って記録紙を繰り出すように構成されている。
【０００３】
なお、このようなプリンターでは、収納部は、一定の規格幅を有するロール状印刷媒体を収納できる大きさに形成されている。しかし、この収納部を利用して、一定の規格幅より狭い幅を有するロール状印刷媒体を収納して使用できるようにしたプリンターがある（例えば特許文献１）。
【０００４】
特許文献１では、ロール紙ホルダーと仕切り部材とを備えている。そして、仕切り部材は、ロール紙ホルダーの一対の当接側部の１つと、仕切り部材の有する当接側部とが所定の間隔をおいて、連結機構により略平行となるように配置可能とすることが開示されている。この構成により、狭い幅を有するロール紙は、ロール紙ホルダーの一対の当接側部の１つと、仕切り部材の当接側部との間に収納される。
【先行技術文献】
【特許文献】
【０００５】
【特許文献１】特開２００２−３０２２号公報
【発明の概要】
【発明が解決しようとする課題】
【０００６】
上述したプリンターには、ユーザーが収納部から繰り出した印刷媒体としての例えば記録紙を挿入口にある程度挿入することで、記録紙を排出口までローディングする、いわゆるセミオートローディングタイプのプリンターがある。このようなプリンターに、特許文献１の仕切り部材を適用した場合、挿入口は一定の規格幅の記録紙（幅広の記録紙）に対応させて構成されているため、仕切り部材に仕切られた収納部から幅の狭い記録紙を繰り出して前記挿入口に挿入する際に、幅の狭い記録紙の幅に対応する挿入口の領域に挿入できずに、対応する挿入口以外の挿入口領域にズレて挿入する場合がある。その場合、適切な印刷が行えず、印字が曲がることや、記録紙がよじれて排出される等の不具合の発生が考えられる。
【０００７】
また、幅の狭い記録紙を挿入する挿入口の領域以外の挿入口の領域は露出しているため、この挿入口から塵埃等が入り易くなり、印字品質に影響を与えることが考えられる。また、挿入口を含め、収納部から挿入口に至るまでの紙送り経路上に構成される構成部は、幅の狭い記録紙に覆われる領域以外の領域が露出することになるため、記録紙を挿入する際にユーザーに押圧されること等により、構成部を損傷させてしまうことが考えられる。
【０００８】
従って、幅が狭いロール状印刷媒体を用いた場合に、印刷媒体の繰り出し方向や印刷媒体を挿入する挿入口の位置を明確に指示でき、また、紙送り経路上で印刷媒体から外れる領域の保護ができ、塵埃の進入を抑制できるロール状印刷媒体保持構造及びプリンターが要望されていた。
【課題を解決するための手段】
【０００９】
本発明は、上述した課題の少なくとも一部を解決するためになされたものであり、以下の形態または適用例として実現することが可能である。
【００１０】
（適用例１）本適用例に係るロール状印刷媒体保持構造は、第１ロール状印刷媒体の動作を幅方向で規制する第１側面及び第２側面を有し、第１ロール状印刷媒体を繰り出し方向に回転可能に収納して保持する収納部と、収納部内に設置され、第１ロール状印刷媒体の幅より狭い幅を有する第２ロール状印刷媒体を収納部内で規制する仕切り部材と、を備え、仕切り部材は、収納部に固定する固定部と、第２ロール状印刷媒体の幅方向を第１側面または第２側面と協働して規制する第３側面と、収納部から繰り出し方向に延びて形成される延出部と、を有して構成されることを特徴とする。
【００１１】
このようなロール状印刷媒体保持構造によれば、第２ロール状印刷媒体の印刷媒体を収納部から繰り出す場合、延出部が収納部から繰り出し方向に延びて形成されているため、ユーザーに対して、印刷媒体の繰り出し方向を明確に指示することができる。
【００１２】
（適用例２）上記適用例に係るロール状印刷媒体保持構造において、延出部は、第２ロール状印刷媒体の印刷媒体を挿入する挿入口を含む、収納部から挿入口に至る繰り出し方向に構成される構成部に対し、印刷媒体の幅に対応する領域以外の領域を覆うことが好ましい。
【００１３】
このようなロール状印刷媒体保持構造によれば、延出部が、印刷媒体の幅に対応する領域以外の挿入口を含む構成部の領域を覆うことにより、延出部で覆われる挿入口を含む構成部に対して、衝撃に対する保護ができると共に塵埃の進入を抑制することができる。また、ユーザーに対して、印刷媒体の繰り出し方向を明確に指示すると共に、印刷媒体を挿入する挿入口の位置を明確に指示することができる。
【００１４】
（適用例３）上記適用例に係るロール状印刷媒体保持構造において、仕切り部材は、第２ロール状印刷媒体の幅方向を規制しない第１側面または第２側面に当接する当接部を備えていることが好ましい。
【００１５】
このようなロール状印刷媒体保持構造によれば、当接部により、第２ロール状印刷媒体の幅方向を規制しない第１側面または第２側面に当接することで、第２ロール状印刷媒体の収納部内での移動等による衝撃に対して、仕切り部材が損傷することを防止することができる。
【００１６】
（適用例４）上記適用例に係るロール状印刷媒体保持構造において、仕切り部材は、第２ロール状印刷媒体の幅方向を規制しない第１側面または第２側面の側面高さより低く形成され、第２ロール状印刷媒体の挿入または取り外しを補助する挿脱補助部を備えていることが好ましい。
【００１７】
このようなロール状印刷媒体保持構造によれば、挿脱補助部により、指先を収納部に深く挿入させることができる。従って、収納部に第２ロール状印刷媒体を挿入することや、取り外すことが容易となる。また、ロール状印刷媒体は、紙巻を芯としてその外周に印刷媒体が巻回される構造であり、この印刷媒体が使用済みとなった場合、収納部の底面に紙巻が残る。この紙巻を収納部から取り出す場合、挿脱補助部により、紙巻の取り出しが容易となる。
【００１８】
（適用例５）上記適用例に係るロール状印刷媒体保持構造において、仕切り部材は、第２ロール状印刷媒体の回転を受ける回転受部を備えていることが好ましい。
【００１９】
このようなロール状印刷媒体保持構造によれば、仕切り部材は回転受部を備えることにより、第２ロール状印刷媒体を収納部内で円滑に回転させることができ、印刷媒体を円滑に繰り出させることができる。
【００２０】
（適用例６）本適用例に係るプリンターは、上述したいずれかのロール状印刷媒体保持構造と、第２ロール状印刷媒体の印刷媒体に印刷を行う印刷部と、を備えていることを特徴とする。
【００２１】
このようなプリンターによれば、ロール状印刷媒体保持構造により、第２ロール状印刷媒体を収納部に確実に保持し、印刷媒体を挿入口に適切に挿入させるための明確な指示を行い、印刷部で、挿入した印刷媒体に印刷を行う。従って、幅が狭い第２ロール状印刷媒体に対して、安定した印字品質を維持できるプリンターが実現できる。
【図面の簡単な説明】
【００２２】
【図１】実施形態に係るプリンターの外観斜視図。
【図２】プリンターの開閉蓋を開けた状態での斜視図。
【図３】プリンターの縦方向の断面図。
【図４】仕切り部材を設置する前の収納部を示す斜視図。
【図５】仕切り部材を示す斜視図。
【図６】仕切り部材を設置した収納部を示す斜視図。
【発明を実施するための形態】
【００２３】
以下、実施形態を図面に基づいて説明する。
（実施形態）
【００２４】
図１は、実施形態に係るプリンター１の外観斜視図である。図２は、プリンター１の開閉蓋３を開けた状態での斜視図である。図３は、プリンター１の縦方向の断面図である。
【００２５】
本実施形態のプリンター１は、ドットインパクト方式により第２ロール状印刷媒体としてのロール状印刷媒体（ロール状に巻回された印刷媒体）に印刷を行うプリンターである。詳細には、ロール状印刷媒体（以降、ロール状記録紙７と称す）から印刷媒体（以降、記録紙７１と称す）を繰り出して、繰り出した記録紙７１に印刷を行う。
【００２６】
また、本実施形態のプリンター１は、一定の規格幅（例えば７６ｍｍ幅）を有する第１ロール状印刷媒体としてのロール状記録紙７Ａ（図４参照）の大きさに対応させて構成されたプリンター１Ａ（図４参照）に対して、収納部５Ａ（図４参照）に仕切り部材６を用いることで、新たな収納部５を構成している。そして、この収納部５に、一定の規格幅よりも狭い幅（例えば５８ｍｍ幅）を有するロール状記録紙７を収納可能とするプリンター１として構成されている。なお、プリンター１は、仕切り部材６を用いたロール状印刷媒体保持構造を備えて構成されている。ロール状印刷媒体保持構造に関しては後述する。
【００２７】
プリンター１の構成及び動作を簡潔に説明する。
プリンター１は、図１に示すように、４つの側面と底面を構成する略矩形状のケース本体２と、プリンター１の上面を覆う開閉蓋３とを備えて、プリンター１の外装ケースが構成されている。開閉蓋３の略中央部には開口部３１が形成され、記録紙７１を排出する排出口４６及びカッター４７が露出する。また、ケース本体２の前側側面に備える凹部２１に指先を重ねて、上部に位置する開閉蓋３を上方に持ち上げることにより、ロック部（図示省略）が解除されて開閉蓋３を開くことができる。
【００２８】
図２に示すように、開閉蓋３は、後側に設置される支軸３２（図６参照）を中心に開閉される。開閉蓋３を開いた場合、プリンター１内部の上部が露出する状態となる。詳細には、開閉蓋３を開いた場合、後側には、ロール状記録紙７の収納部５が露出し、前側には、プリンターユニット４（ヘッドユニット４５１やリボンカセット４５２等）が露出する。この状態で、ロール状記録紙７の交換や、インクリボン４５２ａを収納するリボンカセット４５２の交換等を行うことができる。
【００２９】
図２、図３に示すように、プリンター１内部において、後側に設置される収納部５は、仕切り部材６が設置されることで、ロール状記録紙７の幅方向を規制している。また、収納部５は、縦断面方向において、上方を開口し、大略円弧状の底面５６を備えて形成され、ロール状記録紙７を回転可能に収納し保持している。なお、収納部５及び仕切り部材６の詳細は後述する。
【００３０】
プリンターユニット４の構成及び動作を簡潔に説明する。
図２、図３に示すように、収納部５の前側端部に繋がるプリンターユニット４は、内部に、記録紙７１を収納部５から排出口４６まで送る紙送り経路４１が構成されている。この紙送り経路４１上には、順に、ガイドローラー４２、挿入口４３、紙送り機構部４４、印刷機構部４５、排出口４６、及びカッター４７等が備わっている。
【００３１】
収納部５に収納されたロール状記録紙７から繰り出されたテープ状の記録紙７１は、収納部５の前側端部近傍に設置されるガイドローラー４２を経由して、挿入口４３に挿入される。挿入口４３に挿入された記録紙７１は、紙送り経路部分４１１に沿って送られ、紙送り機構部４４に達する。紙送り機構部４４は、駆動モーター（図示省略）と、駆動モーターに噛み合う減速ギヤ列（図示省略）と、減速ギヤ列に噛み合う紙送りローラー４４１と、紙送りローラー４４１に従動して回転する従動ローラー４４２等で構成されている。記録紙７１は、この紙送りローラー４４１と従動ローラー４４２に挟持されて、印刷機構部４５に自動で送られる。
【００３２】
印刷機構部４５は、ヘッドユニット４５１、リボンカセット４５２、プラテン４５３等で構成されている。印刷機構部４５に送られた記録紙７１は、プラテン４５３の前側に挿入される。また記録紙７１は、その前側にリボンカセット４５２から繰り出されたインクリボン４５２ａと、その前側にヘッドユニット４５１の印字ヘッド４５１ａが位置する状態となる。そして、記録紙７１は、排出口４６に送られることにより、プリンターユニット４に装填された状態となる。
【００３３】
なお、本実施形態のプリンター１は、収納部５に収納したロール状記録紙７に対して、ユーザーが記録紙７１を繰り出して、ガイドローラー４２を経由させた後、挿入口４３に挿入する。なお、ユーザーが記録紙７１を挿入口４３に挿入し、記録紙７１が紙送りローラー４４１部分に達した場合、センサー（図示省略）によりその位置が検出され、紙送り機構部４４が動作を開始する。そして、紙送り機構部４４の動作により、紙送りローラー４４１が回転し、記録紙７１は印刷が行える所定の位置まで送られる。本実施形態のプリンター１は、いわゆるセミオートローディングとなっている。なお、この状態となった後、開閉蓋３を閉じる。
【００３４】
なお、印字ヘッド４５１ａは、ヘッドキャリッジ４５１ｂに搭載されており、ヘッドキャリッジ４５１ｂは、キャリッジガイド軸４５１ｃに沿って幅方向に往復移動する。印字ヘッド４５１ａが動作することにより、インクリボン４５２ａのインクを記録紙７１に転写することで印字が行われる。印字された記録紙７１は、印刷機構部４５の動作に同期する紙送り機構部４４の動作により、排出口４６から順次排出される。なお、記録紙７１が排出口４６から順次排出されることに伴い、ロール状記録紙７から記録紙７１が順次繰り出される。
【００３５】
カッター４７は、先端に刃先４７１ａを有するカッター刃４７１で構成されている。ユーザーは、排出口４６から排出された記録紙７１を把持して、このカッター刃４７１の刃先４７１ａにこじるように押し当てて切断する。このように、ユーザーは、手動により印刷済みの記録紙７１を切断する。
【００３６】
図４は、仕切り部材６を設置する前の収納部５Ａを示す斜視図である。また、図４は、一定の規格幅（例えば７６ｍｍ幅）を有するロール状記録紙７Ａの大きさに対応させて構成されたプリンター１Ａを示している。なお、本実施形態では、上述したように、このプリンター１Ａの収納部５Ａに仕切り部材６を設置して、一定の規格幅よりも狭い幅（例えば５８ｍｍ幅）を有するロール状記録紙７を使用可能としている。図４を参照して、仕切り部材６を設置する前の収納部となる収納部５Ａに関して説明する。
【００３７】
収納部５Ａは、ロール状記録紙７Ａの一方の幅方向端部の位置を規制する第１側面５１と、他方の幅方向端部の位置を規制する第２側面５２とを備えている。収納部５Ａは、この第１側面５１と第２側面５２とで、ロール状記録紙７Ａの幅方向の動きを規制する。また、収納部５Ａは、縦断面方向において、上方を開口し、大略円弧状の底面５６を備えて形成され、ロール状記録紙７Ａを回転可能に収納し保持している。なお、底面５６には、ロール状記録紙７Ａを幅方向の端部側で、それぞれ相対する２点で支えることにより、ロール状記録紙７Ａの回転を円滑に行わせる面部５６ａ，５６ｂ，５６ｃ（図６参照），５６ｄが形成されている。
【００３８】
なお、この収納部５Ａを有するプリンター１Ａのガイドローラー４２及び挿入口４３の幅方向の長さは、ロール状記録紙７Ａの記録紙７１Ａの幅方向の長さに対応して構成されている。従って、この収納部５Ａに一定の規格幅のロール状記録紙７Ａを収納し、ロール状記録紙７Ａの記録紙７１Ａを繰り出して、挿入口４３に挿入した場合には、若干の隙間を有してガイドローラー４２及び挿入口４３は記録紙７１Ａに覆われる状態となる。
【００３９】
図５は、仕切り部材６を示す斜視図であり、図５（ａ）は、仕切り部材６を収納部５の右側上方から後側を見た斜視図であり、図５（ｂ）は、仕切り部材６を収納部５の左側下方から前側を見た斜視図である。図６は、仕切り部材６を設置した収納部５を示す斜視図である。なお、図６は、前述した図２と同様の状態を示しており、見る方向を変えた図である。図２〜図６を参照して、本実施形態のロール状印刷媒体保持構造に関して説明する。
【００４０】
ロール状印刷媒体保持構造は、第１ロール状印刷媒体としてのロール状記録紙７Ａに対応して形成される収納部５Ａに対して、仕切り部材６を用いることで、新たな収納部５を形成させた構造となる。そして、ロール状印刷媒体保持構造は、この収納部５に、第１ロール状印刷媒体の幅より狭い幅を有する第２ロール状印刷媒体としてのロール状記録紙７を収納して保持するようにした構造である。以降で、ロール状印刷媒体保持構造を構成する仕切り部材６及び収納部５に関して説明する。
【００４１】
仕切り部材６は、一定の規格幅（例えば７６ｍｍ幅）を有するロール状記録紙７Ａよりも狭い幅（例えば５８ｍｍ幅）を有するロール状記録紙７を使用可能とするために、収納部５Ａ内に設置することで新たな収納部５を構成するものである。仕切り部材６は、収納部５Ａの第１側面５１と第２側面５２との間に設置される。
【００４２】
仕切り部材６は、本実施形態では、収納部５Ａの第１側面５１側に設置され、大略板状で、ロール状記録紙７Ａとロール状記録紙７との幅の差による収納部５Ａの空間を補完するスペーサーとしての機能を有する。仕切り部材６は、固定部６１、当接部６２、第３側面６３、面部６４、延出部６５、挿脱補助部６６、紙巻規制面部６７を有して構成されている。
【００４３】
第３側面６３は、仕切り部材６が収納部５Ａに設置された場合、第２側面５２に略平行となるように形成されており、第２側面５２と協働してロール状記録紙７の動作を幅方向で規制する。なお、収納部５は、この第３側面６３と第２側面５２と底面５６とにより囲まれて構成される。
【００４４】
当接部６２は、第３側面６３の逆側の面から第１側面５１方向に突出して形成されている。当接部６２は、第３側面６３に対して、ロール状記録紙７が当たること等の衝撃が加わった場合に、第１側面５１に当接していることで、仕切り部材６の破損等を防止する。なお、本実施形態では、第１側面５１が、ロール状記録紙７の幅方向を規制しない側面となる。
【００４５】
固定部６１は、図５に示すように、第３側面６３の下側端部で第１側面５１側に突出して形成される片部６３１と、その片部６３１に形成されるネジ６３６用の切り欠き部６３２と、片部６３１で下方向に突出して形成される突出部６３３を有している。また、固定部６１は、第３側面６３の前側に突出する突出部６３４を有している。なお、収納部５Ａの底面５６には、図４に示すように、切り欠き部６３２に対応してネジ孔５６１が形成され、突出部６３３に対応して受け溝５６２が形成されている。また、収納部５Ａには、突出部６３４を挿通する孔部（図示省略）が形成されている。
【００４６】
仕切り部材６を底面５６に固定する場合、一方の突出部６３４を孔部に挿通し、他方の突出部６３３を受け溝５６２に挿入して底面５６に設置する。次に、図６に示すように、仕切り部材６の上方からネジ６３６を切り欠き部６３２に挿通して、ネジ孔５６１にネジ６３６を締め付けることにより、仕切り部材６を底面５６に固定する。なお、ネジ６３６を用いて仕切り部材６を底面５６に固定することにより、外力に対する仕切り部材６の取り付け強度を向上させている。
【００４７】
面部６４は、仕切り部材６の下側端部で、第２側面５２側に突出して円弧状に形成されている。この面部６４は、図４に示す面部５６ａに対応して形成されており、ロール状記録紙７の回転を受ける回転受部として動作する。詳細には、面部６４は、収納部５において、他の面部５６ｂ，５６ｃ，５６ｄと協働してロール状記録紙７の回転を円滑に行わせる。
【００４８】
紙巻規制面部６７は、仕切り部材６の下側端部の後側で、第２側面５２側に突出して傾斜面を有して形成されている。この紙巻規制面部６７は、紙巻規制面部５６ｅ（図４参照）に対応して形成されており、第２側面５２側に設置される紙巻規制面部５６ｆ（図６参照）と共に、ロール状記録紙７の記録紙７１を巻回する芯となる紙巻７２が後方向に移動することを規制する。
【００４９】
延出部６５は、仕切り部材６の前側端部から延びて形成されている。詳細には、図２、図３、図６に示すように、延出部６５は、仕切り部材６を収納部５に設置した場合、収納部５から記録紙７１の繰り出し方向（前側）に延び出た状態となるように形成されている。また、延出部６５は、図２、図３、図６に示すように、収納部５から挿入口４３に至る繰り出し方向に構成される構成部としてのガイドローラー４２及び挿入口４３に対し、ロール状記録紙７（記録紙７１）の幅に対応する領域以外の領域の上部を覆うように形成されている。
【００５０】
言い換えると、第１ロール状印刷媒体（ロール状記録紙７Ａ）の幅に対応させて設置したガイドローラー４２及び挿入口４３に対して、ロール状記録紙７Ａより幅が狭い第２ロール状印刷媒体（ロール状記録紙７）を用いた場合、幅の差に対応するガイドローラー４２及び挿入口４３の部分が露出する。この露出部分を延出部６５が覆う形態となる。
【００５１】
挿脱補助部６６は、図２、図３に示すように、第３側面６３の上側端部に形成され、仕切り部材６を収納部５に設置した場合、第１側面５１の側面高さに対し、第３側面６３の側面高さが低くなるように形成されている。詳細には、挿脱補助部６６は、第３側面６３の上側端部に、後側に傾斜して下がる傾斜部６６１として形成されている。そして、この傾斜部６６１は、後側において、第１側面５１の上側端面５１１よりも低い位置となるように形成されている。
【００５２】
挿脱補助部６６（傾斜部６６１）により、第１側面５１の上側端面５１１よりも深く収納部５に指先を挿入させることができるため、ロール状記録紙７を収納部５に収納する場合や収納部５から取り外す場合、ユーザーは、ロール状記録紙７の挿脱を容易に行うことができる。また、第１側面５１の上側端面５１１よりも深く指先を進入させることができるため、ロール状記録紙７を使い切った場合に収納部５の底面５６に残る紙巻７２を収納部５から取り出し易くなる。
【００５３】
上述した実施形態によれば、以下の効果が得られる。
本実施形態のロール状印刷媒体保持構造によれば、ロール状記録紙７の記録紙７１を収納部５から繰り出す場合、仕切り部材６に備える延出部６５が収納部５から繰り出し方向に延びて形成されているため、ユーザーに対して、記録紙７１の繰り出し方向を明確に指示することができる。
【００５４】
本実施形態のロール状印刷媒体保持構造によれば、延出部６５は、収納部５から挿入口４３に至る繰り出し方向（または紙送り径路上）に構成される構成部（ガイドローラー４２、挿入口４３）に対し、ロール状記録紙７の幅に対応する領域以外の領域（露出する領域）を覆うことにより、ガイドローラー４２及び挿入口４３に対して上方からの衝撃などに対する保護ができると共に、塵埃の進入を抑制できる。また、ユーザーに対して、印刷媒体の繰り出し方向を明確に指示することができる。
【００５５】
本実施形態のロール状印刷媒体保持構造によれば、延出部６５が、特に挿入口４３に対し、ロール状記録紙７の幅に対応する領域以外の挿入口４３の領域を覆うことにより、ユーザーに対して、ロール状記録紙７の記録紙７１を挿入する挿入口４３の位置を明確に指示することができる。また、延出部６５により覆われる挿入口４３の領域への塵埃の進入を抑制できる。
【００５６】
本実施形態のロール状印刷媒体保持構造によれば、仕切り部材６は当接部６２を備えることにより、第１側面５１に当接することにより、ロール状記録紙７の収納部５内での移動等による衝撃に対して、仕切り部材６が損傷することを防止することができる。
【００５７】
本実施形態のロール状印刷媒体保持構造によれば、仕切り部材６が挿脱補助部６６（傾斜部６６１）を備え、第１側面５１の上側端面５１１より側面高さが低く形成されている。これにより、指先を収納部５に深く挿入させることができる。従って、収納部５に対してロール状記録紙７の挿脱が容易となる。また、挿脱補助部６６により、収納部５の底面５６に残る紙巻７２を取り出し易くなる。
【００５８】
本実施形態のロール状印刷媒体保持構造によれば、仕切り部材６は回転受部としての面部６４を備えることにより、ロール状記録紙７を収納部５内で円滑に回転させることができ、記録紙７１を円滑に繰り出させることができる。
【００５９】
本実施形態のプリンター１によれば、ロール状印刷媒体保持構造により、ロール状記録紙７を収納部５に確実に保持し、記録紙７１を挿入口４３に適切に挿入させるための明確な指示を行い、印刷部としての印刷機構部４５で、挿入した記録紙７１に印刷を行う。従って、幅が狭いロール状記録紙７に対して、安定した印字品質を維持できるプリンター１が実現できる。
【００６０】
本実施形態のプリンター１によれば、第１ロール状印刷媒体（ロール状記録紙７Ａ）に対応して構成されたプリンター１Ａに対して、本実施形態のロール状印刷媒体保持構造を用いることで、幅の狭い第２ロール状印刷媒体（ロール状記録紙７）に対応するプリンター１として構成できる。従って、幅の狭いロール状記録紙７に対応して、ガイドローラー及び挿入口等を含めたプリンターユニットや収納部を新たに設計及び製造する必要がないため、設計及び製造コストを低減することが可能となる。
【００６１】
なお、上述した実施形態に限定されず、その要旨を逸脱しない範囲において種々の変更や改良等を加えて実施することが可能である。変形例を以下に述べる。
【００６２】
前記実施形態では、収納部５Ａの第２側面５２と、仕切り部材６の第３側面６３とでロール状記録紙７の幅方向を規制すると共に収納部５を構成している。しかし、これに限られず、収納部５Ａの第１側面５１と、仕切り部材６の第３側面６３とでロール状記録紙７の幅方向を規制すると共に収納部５を構成してもよい。この場合、仕切り部材６の構成を第１側面５１に対応する向きとなるように変更することで対応可能である。
【００６３】
前記実施形態では、仕切り部材６の延出部６５は、繰り出し方向に構成される構成部として、ガイドローラー４２及び挿入口４３の露出する部分を覆う構成としている。しかし、これに限られず、ガイドローラー４２を有しない構成の場合には、露出する挿入口４３のみを覆う構成としてもよい。また、繰り出し方向に構成される構成部を他に有している場合等は、その構成部の露出する部分を覆う構成としてもよい。
【００６４】
前記実施形態では、セミオートローディングタイプのプリンター１を例に説明したが、オートローディングタイプのプリンターにも適用可能である。
【００６５】
前記実施形態では、印刷部としての印刷機構部４５にドットインパクト方式を用いるプリンター１を例に説明したが、インクジェット方式、熱転写方式等を用いるプリンターにも適用可能である。
【００６６】
前記実施形態では、ロール状記録紙７の記録紙７１に印刷を行っているが、記録紙７１は、一枚の記録紙で構成されていてもよいし、複写用等、複数枚の記録紙で構成されていてもよい。また、記録紙７１は、剥離紙に粘着剤付きのラベルを貼付した記録紙で構成されていてもよい。
【符号の説明】
【００６７】
１，１Ａ…プリンター、４…プリンターユニット、５，５Ａ…収納部、６…仕切り部材、７，７Ａ…ロール状記録紙、４２…ガイドローラー、４３…挿入口、４５…印刷機構部、５１…第１側面、５２…第２側面、５６…底面、６１…固定部、６２…当接部、６３…第３側面、６４…面部、６５…延出部、６６…挿脱補助部、７１，７１Ａ…記録紙、７２…紙巻。
【図１】
0005640697.tif 000002
【図２】
0005640697.tif 000003
【図３】
0005640697.tif 000004
【図４】
0005640697.tif 000005
【図５】
0005640697.tif 000006
【図６】
0005640697.tif 000007